(57)【要約】【課題】  コンテンツの視聴を妨げず、かつ、ハードボタンを極力少なくしながらもユーザの操作性を向上させることのできる携帯型情報端末を提供する。【解決手段】  携帯型テレビでは、液晶タブレット２の液晶モニタ２０において、中央タッチ領域２１、上側タッチ領域２２、下側タッチ領域２３、左側タッチ領域２４、および、右側タッチ領域２５の５つの領域が定義され、また、各領域には、それぞれ、「画面操作のロック／アンロックの切替え」「音量アップ」「音量ダウン」「チャンネルダウン」「チャンネルアップ」という制御内容が関連付けられている。そして、携帯型テレビでは、番組の視聴中に各領域に対して操作がなされると、領域および制御内容についての表示が行なわれることなく、操作された領域に関連付けられた制御内容が実行される。【選択図】        図８
2006086837.tif 000002
【特許請求の範囲】
【請求項１】
映像と音声の少なくとも一方を出力するための情報を生成する情報生成手段と、
前記情報生成手段に、外部から受信した情報または所定の記録媒体に記録されている情報を入力する情報入力手段と、
前記情報生成手段の生成した情報に基づいて映像と音声の少なくとも一方を出力する情報出力手段と、
前記情報出力手段における情報の出力態様を制御する出力制御手段と、
外部から操作されるタブレットと、
前記タブレットに対する操作位置を検出するタブレット制御手段と、
前記タブレットに対する操作位置と、前記出力制御手段の前記情報出力手段に対する制御内容との関係を記憶する制御用情報記憶手段とを備え、
前記情報出力手段は、前記情報生成手段の生成する情報を表示し、前記タブレットと一体的に構成された表示手段を含み、
前記出力制御手段は、
前記表示手段の表示態様を、前記情報入力手段から前記情報生成手段に入力された情報のみに基づいて表示を行なう所定の表示態様に制御可能であり、かつ、
前記表示手段が前記所定の表示態様で表示を行なっている場合に、前記タブレットに対して操作がされたとき、前記制御用情報記憶手段が記憶する前記関係に基づいて、前記タブレットに対する操作位置に対応する制御内容を実行する、携帯型情報端末。
【請求項２】
前記制御用情報記憶手段は、前記タブレットに対する操作位置として、前記タブレットにおいて定義された複数の領域についての位置情報を記憶し、
前記複数の領域の中で、前記タブレットの所定の方向について一方側に位置する領域と他方側に位置する領域とは、前記制御用情報記憶手段において、互いに相対する制御内容に関係付けられている、請求項１に記載の携帯型情報端末。
【請求項３】
前記表示手段の前記所定の表示態様は、前記所定の記録媒体に記録されている情報に基づいた所定の映像の表示であり、
前記出力制御手段は、前記タブレットの前記所定の方向の一方側に位置する領域に対して操作されたことに基づいて、前記表示手段に、前記所定の記録媒体に記録されている、前記所定の映像の少なくとも１フレーム以上前の映像を表示させ、前記タブレットの前記所定の方向の他方側に位置する領域に対して操作されたことに基づいて、前記表示手段に、前記所定の記録媒体に記録されている、前記所定の映像の少なくとも１フレーム以上後の映像を表示させる、請求項２に記載の携帯型情報端末。
【請求項４】
前記制御用情報記憶手段は、前記タブレットに対する操作位置として、前記タブレットにおいて定義された複数の領域についての位置情報を記憶し、
前記複数の領域は、前記タブレットにおいて、第１の方向について一方側に位置する領域と他方側に位置する領域とからなる第１の組の領域群と、前記第１の方向と交わる第２の方向について一方側に位置する領域と他方側に位置する領域とからなる第２の組の領域群とを含み、
前記制御用情報記憶手段において、前記第１の組の領域群に含まれる領域は、前記タブレットに対する操作がなされた回数に応じて循環して内容が変化する制御内容に関係付けられ、前記第２の組の領域群に含まれる領域は、前記タブレットに対する操作回数に対して内容の変化に限度のある制御内容に関係付けられている、請求項１〜請求項３のいずれかに記載の携帯型情報端末。
【請求項５】
前記複数の領域は、前記第１の組の領域群および前記第２の組の領域群の領域に囲まれる特定の領域をさらに含み、
前記情報生成手段は、前記所定の記録媒体に記録された情報に基づいて、標準の速度および方向で再生するための情報である標準再生情報、および、標準とは異なる速度または方向で再生するための情報である特殊再生情報を生成し、
前記出力制御手段は、前記情報出力手段が前記特殊再生情報を出力している場合に前記特定の領域を操作されたとき、前記情報生成手段に前記標準再生情報を生成させることにより、前記情報出力手段に前記標準再生情報を出力させる、請求項４に記載の携帯型情報端末。
【請求項６】
前記出力制御手段は、前記表示手段の表示態様を、特定の場合に、前記制御用情報記憶手段に記録される関係についての情報を表示する特定の表示態様で制御可能である、請求項１〜請求項５のいずれかに記載の携帯型情報端末。
【請求項７】
前記制御用情報記憶手段は、前記タブレットに対する操作位置として、前記タブレットにおいて定義された当該タブレットの端部を含む領域についての位置情報を記憶する、請求項１〜請求項６のいずれかに記載の携帯型情報端末。
【発明の詳細な説明】
【技術分野】
【０００１】
本発明は、マルチメディア情報を出力する携帯型の端末に関し、特に、表示部を備え、さらに、当該表示部の表示面に、情報の入力が可能なタブレットを備えられた、携帯型情報端末に関する。
【背景技術】
【０００２】
従来から、携帯型の情報端末において、表示部の上に一体的にタブレットを備え、ユーザから当該タブレットに対してなされる操作に基づいて動作を行なう技術が開示されている。このような技術によると、情報端末において、備えることを必要とされる操作部（ハードボタン）を少なくさせることができ、携帯性を向上させることができたり、より大きい表示部を備えさせることができるという利点がある。
【０００３】
特に、特許文献１〜特許文献４には、それぞれ、テレビジョン受像機において、表示部にタブレットを備え、また、当該表示部にチャンネル番号等の調整内容に関する情報を表示させ、そして、ユーザが、表示内容に基づいてタブレットを操作することにより、各種の調整を行なうことを可能とされる技術が開示されている。
【特許文献１】特開平２−２６１２７６号公報
【特許文献２】特開平３−２２７７１号公報
【特許文献３】特開平３−１３９０７５号公報
【特許文献４】特開平７−７６３１号公報
【発明の開示】
【発明が解決しようとする課題】
【０００４】
しかしながら、上記のような、携帯型の情報端末における、タブレットに対する操作に応じ、受像するチャンネルを変更する等の情報の出力態様を変更する技術では、一旦、表示部にチャンネルの一覧表等のメニュー画面が表示される。そして、メニュー画面が表示された状態で情報の出力態様を変更する操作が受付けられるように構成されていたため、従来の情報端末では、視聴しているコンテンツがメニュー画面の表示により操作のたびに完全な形態で視聴できなくなるという問題があったり、メニュー画面を表示させるための操作という余計な操作をユーザに必要とさせるという問題があった。
【０００５】
本発明は、かかる実情に鑑み考え出されたものであり、その目的は、コンテンツの視聴を妨げず、かつ、ハードボタンを極力少なくしながらもユーザの操作性を向上させることのできる携帯型情報端末を提供することである。
【課題を解決するための手段】
【０００６】
本発明に従った携帯型情報端末は、映像と音声の少なくとも一方を出力するための情報を生成する情報生成手段と、前記情報生成手段に、外部から受信した情報または所定の記録媒体に記録されている情報を入力する情報入力手段と、前記情報生成手段の生成した情報に基づいて映像と音声の少なくとも一方を出力する情報出力手段と、前記情報出力手段における情報の出力態様を制御する出力制御手段と、外部から操作されるタブレットと、前記タブレットに対する操作位置を検出するタブレット制御手段と、前記タブレットに対する操作位置と、前記出力制御手段の前記情報出力手段に対する制御内容との関係を記憶する制御用情報記憶手段とを備え、前記情報出力手段は、前記情報生成手段の生成する情報を表示し、前記タブレットと一体的に構成された表示手段を含み、前記出力制御手段は、前記表示手段の表示態様を、前記情報入力手段から前記情報生成手段に入力された情報のみに基づいて表示を行なう所定の表示態様に制御可能であり、かつ、前記表示手段が前記所定の表示態様で表示を行なっている場合に、前記タブレットに対して操作がされたとき、前記制御用情報記憶手段が記憶する前記関係に基づいて、前記タブレットに対する操作位置に対応する制御内容を実行することを特徴とする。
【発明の効果】
【０００７】
本発明によると、表示手段が外部から受信された情報または所定の記録媒体に記録されている情報のみを表示している状態で、表示手段と一体的に構成されているタブレットが操作されると、当該タブレットに対する操作位置に応じて、映像と音声の少なくとも一方の出力の態様が制御される。
【０００８】
これにより、ユーザは、携帯型情報端末でコンテンツを視聴している際に、表示手段にメニュー画面等のコンテンツに直接関係の無いものを表示させることなく、出力の態様を変更するための操作を実行できる。つまり、本発明の携帯型情報端末は、コンテンツ視聴中に出力態様を変更する際に、ユーザに、コンテンツの視聴を極力中断させず、かつ、必要とさせる操作を極力少なくすることができる。
【発明を実施するための最良の形態】
【０００９】
以下、図面を参照しつつ、本発明に従った携帯型情報端末について説明する。
【００１０】
［第１の実施の形態］
図１は、本発明の携帯型情報端末の第１の実施の形態である携帯型テレビの概観図である。また、図２は、当該携帯型テレビの制御ブロック図である。
【００１１】
図１および図２を参照して、携帯型テレビ１は、その外郭を筐体で構成されている。また、携帯型テレビ１は、当該筐体の所定の一面に、液晶タブレット２を備え、また、側面に、電源ボタン８０を備えている。
【００１２】
携帯型テレビ１は、外部の電源１００から電力を供給されることにより、動作する。
【００１３】
また、携帯型テレビ１は、アンテナ９を備え、当該アンテナ９により、衛星モバイル放送および地上デジタル放送を受信する。そして、携帯型テレビ１では、アンテナ９の受信した放送信号は、生成部３に入力される。生成部３は、チューナモジュール３１、当該チューナモジュール３１の動作を制御するチューナ制御部３２、音声データおよび映像データを記憶する映像記憶部３３、映像信号を生成する映像生成部３４、音声信号を生成する音声生成部３５、および、タイマ３６を含む。
【００１４】
映像生成部３４は、アンテナ９によって入力された放送信号、または、映像記憶部３３に記録されているデータに基づいて映像信号を生成する。生成された映像信号は、映像表示データとして表示画面制御部４に送られる。具体的には、映像生成部３４は、携帯型テレビ１がテレビモードに設定されている際に、チューナモジュール３１から出力される映像信号を受け、映像表示データとして再生し、後述する表示画面制御部４に出力する。
【００１５】
音声生成部３５は、アンテナ９によって入力された放送信号、または、映像記憶部３３に記録されているデータに基づいて、音声データを生成する。生成された音声信号は、スピーカ５を介して音声として出力される。また、音声生成部３５は、携帯型テレビ１がテレビモードに設定されている際には、チューナモジュール３１から出力される音声信号を受け、音声データとして再生し、スピーカ５に出力する。さらに、音声生成部３５は、音量レベルが変更された際には、表示画面制御部４に対して、変更後の音量レベルに対応した音量マークの画像情報（後述する図４の画像３５１〜３５５のいずれか）を重ねて表示するように指示を発行する。
【００１６】
また、映像生成部３４および音声生成部３５は、ビデオモードに設定されている際には、映像記憶部３３に蓄積されている音声信号を取り出し、後述するコマンド制御部７から送られてくるコマンドに応じて、音量レベルの変更、ならびに、映像記憶部３３の記憶するコンテンツの再生についての早送り、巻き戻し、再生開始、および、再生停止などに対応した映像表示データおよび音声信号を生成する。
【００１７】
チューナモジュール３１は、アンテナ９の受信した電波から、所望の映像信号および音声信号を取り出す回路である。携帯型テレビ１がテレビモードに設定されている際には、映像信号を映像生成部３４に、音声信号を音声生成部３５に、それぞれ出力する。
【００１８】
映像記憶部３３は、チューナモジュール３１から出力される映像信号および音声信号を蓄積する。携帯型テレビ１がビデオモードに設定されている際には、蓄積している映像信号および音声信号を、映像生成部３４および音声生成部３５に提供（出力）する。
【００１９】
チューナ制御部３２は、放送される複数の番組の中から所望の番組を選択し、チューナモジュール３１を制御する。また、チューナ制御部３２は、後述するコマンド制御部７から送られてくるコマンドに対応して、アンテナ９に受信させるチャンネルの切り換える。
【００２０】
表示画面制御部４は、映像生成部３４から受けた映像データを液晶タブレット２に表示させるとともに、音声生成部３５から送られる指示に基づいて画像情報（後述する図４の画像３５１〜３５５のいずれか）を表示させる。
【００２１】
液晶タブレット２は、表示画面制御部４からの映像データを表示し、また、タブレットと一体的に構成された液晶モニタ２０を備えている。液晶モニタ２０に対する操作は、ペン１０を用いて行なわれても良いし、たとえば人の指等、液晶モニタ２０に対して操作された部位の座標を特定可能なものであれば、他の物を用いて行なわれても良い。
【００２２】
タブレット制御部６は、液晶タブレット２の液晶モニタ２０に対するペン１０等を用いた操作による入力を検出する。タブレット制御部６は、具体的には、液晶モニタ２０に対する、ペンダウンおよびペンアップの操作のタイミングならびにそれらの操作がなされた座標位置や、現在のペン１０等の操作手段の液晶モニタ２０上の座標位置を検出する。
【００２３】
コマンド制御部７は、タブレット制御部６の検出した座標位置と制御用情報記憶部７０に記憶されたテーブルの内容とに基づいて、スピーカ５から出力する音量のレベルの変更、アンテナ９に受信させるチャンネルの切り換え、ならびに、映像記憶部３３に記憶されたコンテンツの再生についての早送り、巻き戻し、再生開始、および、再生停止などの制御情報を、コマンドとして、生成部３に出力する。
【００２４】
電源制御部８は、携帯型テレビ１への電源の投入態様を制御する。携帯型テレビ１では、電源ボタン８０が操作されることにより電源の投入が開始されるが、電源制御部８は、電源の投入が開始された際に、映像生成部３４に対して、液晶モニタ２０に、当該液晶モニタ２０に対して定義されているタッチ領域を表示させるコマンドを出力する。
【００２５】
ここで、液晶モニタ２０に対するタッチ領域の定義について、図３を説明する。
【００２６】
図３では、液晶タブレット２の液晶モニタ２０内に、線２０Ａ〜２０Ｄの４本の仮想の線が記されている。この線２０Ａ〜２０Ｄによって、液晶モニタ２０は、中央タッチ領域２１、上側タッチ領域２２、下側タッチ領域２３、左側タッチ領域２４、および、右側タッチ領域２５の５つの領域に分割されている。タブレット制御部６は、液晶モニタ２０が、これらの５つの領域の中のどの領域に対して操作がなされたかを検出する。そして、コマンド制御部７は、どの領域に対して操作がなされたかに基づいて、携帯型テレビ１の動作を制御するコマンドを選択して生成部３に出力する。
【００２７】
線２０Ａ〜２０Ｄの位置を特定する情報は、制御用情報記憶部７０に、表１に示されるように、左側タッチ領域２４を定義するためのＸ座標Ｘｌ、右側タッチ領域を定義するためのＸ座標Ｘｒ、上側タッチ領域２２を定義するためのＹ座標Ｙｕ、下側タッチ領域２３を定義するためのＹ座標Ｙｄとして、記憶されている。
【００２８】
【表１】
2006086837.tif 000003
【００２９】
ここで言う座標とは、液晶モニタ２０の左端の、上下方向の中心にある点を原点とし、図３中の、左右方向をＸ方向、上下方向をＹ方向とした場合の座標であり、Ｘ座標としては０から６４０の座標が定義され、Ｙ座標としては−２４０から＋２４０の座標が定義されている。そして、表１から理解されるように、線２０ＡはＸ（Ｘｌ）＝１６０の直線として、線２０ＢはＸ（Ｘｒ）＝４８０の直線として、線２０ＣはＹ（Ｙｕ）＝−８０の直線として、線２０ＤはＹ（Ｙｄ）＝＋８０の直線として、それぞれ定義される。
【００３０】
なお、表１に示される各直線の情報は、携帯型テレビ１に設置された図示せぬ操作部等を操作することにより、変更可能に構成されている。表１に示される各直線の情報が変更されると、それに応じて、中央タッチ領域２１、上側タッチ領域２２、下側タッチ領域２３、左側タッチ領域２４、および／または、右側タッチ領域２５の領域が変更されることになる。
【００３１】
本実施の形態の携帯型テレビ１では、コマンド制御部７によって、テレビ番組を受信している際に操作を検出された領域に応じたコマンドが生成部３に出力される。表２に、操作を検出された領域と、出力されるコマンドとの関係を示す。なお、このような関係を示すものは、制御用情報記憶部７０に記憶されている。
【００３２】
【表２】
2006086837.tif 000004
【００３３】
表２から理解されるように、左側タッチ領域２４には、「PrevChannel」という、受信するチャンネルを１つ前の順序のチャンネルに切換えるためのコマンドが対応している。ここで言う順序とは、後述する表６に示されるような、テーブルにおける、チャンネルについての情報が記憶される順序（ＣＨ１〜ＣＨ１５）である。また、右側タッチ領域２５には、「NextChannel」という、受信するチャンネルを１つ後の順序のチャンネルに切換えるためのコマンドが対応している。また、上側タッチ領域２２には、「VolumeUp」という、スピーカ５から出力される音量を１段階上昇させるためのコマンドが対応している。なお、携帯型テレビ１では、図４を参照して後述するように、５段階で、音量が定義されている。また、下側タッチ領域２３には、「VolumeDown」という、スピーカ５から出力される音量を１段階下降させるためのコマンドが対応している。そして、中央タッチ領域２１には、オプションで決定できる制御内容についてのコマンドが対応している。
【００３４】
本実施の形態では、上記のようなオプションで決定できる制御内容を、液晶モニタ２０に対する操作の無効化（ロック）／有効化（アンロック）を切換える制御として、説明を続ける。なお、このような制御内容は、たとえば、携帯テレビ１に対する電源の投入をオフする制御であっても良いし、受信するチャンネルを初期設定として決められているチャンネル（後述する「初期ＣＨ」）に変更しかつスピーカ５から出力される音量を初期設定として決められている音量（後述する「初期音量」）に変更する制御であっても良い。
【００３５】
次に、音声生成部３５の動作について説明する。
【００３６】
音声生成部３５では、スピーカ５における音量の出力に関して、表３および表４に示すような種々の情報が記憶されている。
【００３７】
【表３】
2006086837.tif 000005
【００３８】
【表４】
2006086837.tif 000006
【００３９】
表３には、携帯型テレビ１における、電源の投入時および音量の変更時にその時点の音量に対応した音声マークの表示を開始した時刻（音声マーク表示時刻）、当該音声マークを表示させる時間（音量表示タイマ）、電源投入時の音量の初期値として設定されているレベル（初期音量）、その時点の音量のレベル（設定音量）、出力できる最大および最小の音量のレベル（最大音量、最小音量）が示されている。音声マーク表示時刻、および、設定音量は、図５等を参照して後述するテレビ番組出力処理の中で適宜記憶内容が更新される。また、その他の情報についても、ユーザによって、適宜変更が可能に構成されている。
【００４０】
表４には、携帯型テレビ１において設定される音量レベルと、各音量レベルに対応した音量値が示されている。本実施の形態の携帯型テレビ１では、音量レベルとして、レベル０〜レベル４の５段階が設定されている。音量値は、音量の大きさを表す所定の単位で記載されている。音量レベル０に対応した音量値が「０」とされているのは、音量レベル０では音声が出力されないことを意味する。
【００４１】
さらに、音声生成部３５には、上記したような音声マークを表示させるための画像情報が記憶されている。図４に、音声マークを示す。
【００４２】
図４には、レベル４〜レベル０のそれぞれに対応する音声マーク３５１〜３５５が示されている。音声マーク３５１〜３５５は、それぞれ、スピーカから音声が出力される画像によって構成されており、出力される音声が大きくなるほど（レベル０、レベル１、レベル２…となるほど）、画像において着色される部分が多くなっている。なお、図４では、ハッチングにより着色を表現している。
【００４３】
次に、チューナ制御部３２において記憶されている情報を説明する。
【００４４】
チューナ制御部３２では、表５および表６に示される情報が記憶されている。
【００４５】
【表５】
2006086837.tif 000007
【００４６】
【表６】
2006086837.tif 000008
【００４７】
表５には、携帯型テレビ１において、電源投入時に受信されるチャンネル（初期ＣＨ）、現在受信されているチャンネル（設定ＣＨ）、有効チャンネル（携帯型テレビ１において受信可能なチャンネル）の下限値（スタートＣＨ）および上限値（エンドＣＨ）が示されている。設定ＣＨは、図５等を参照して後述するテレビ番組出力処理の中で適宜記憶内容が更新される。また、その他の情報についても、ユーザによって、適宜変更が可能に構成されている。
【００４８】
表６には、携帯型テレビ１において受信可能なチャンネル（有効チャンネル）であるＣＨ１〜ＣＨ１５についての、放送種別ＩＤおよびチューニング情報が示されている。放送種別ＩＤにおいて、「ＴＶ」は地上デジタル放送を意味し、「ＭＢ」は衛星モバイル放送を意味する。
【００４９】
次に、ユーザがアンテナ９より受信するテレビ番組の放送をそのまま視聴する際に、携帯型テレビ１において実行される、テレビ番組出力処理について、図５〜図９を参照しつつ説明する。なお、図５〜図７は、テレビ番組出力処理の際に携帯型テレビ１において実行される処理のフローチャートであり、図８および図９は、液晶モニタ２０における表示態様を例示する図である。
【００５０】
携帯型テレビ１では、電源ボタン８０が操作されると、ステップＳＡ１（以下、「ステップ」を省略する）で、電源制御部８によって、携帯型テレビ１に電源を投入する処理がなされ、さらに、ＳＡ２で、図３を用いて説明したように、映像生成部３４に対して、液晶モニタ２０に、当該液晶モニタ２０に対して定義されている各タッチ領域を表示させるコマンドを出力する。これにより、液晶モニタ２０には、図８に示されるように、中央タッチ領域２１、上側タッチ領域２２、下側タッチ領域２３、左側タッチ領域２４、および、右側タッチ領域２５の５つの領域が、その内側に、表２を参照して説明したようなコマンドに対応した機能を表す文字列（「音量アップ」「チャンネルアップ」等）とともに、表示されている。なお、図８に示された状態では、液晶モニタ２０では、線２０Ａ〜２０Ｄが、各タッチ領域を定義するための境界線として、表示されている。
【００５１】
液晶モニタ２０においてこのような表示がなされることにより、ユーザは、各タッチ領域を操作することによってどのような機能を達成できるかを、容易に認識することができる。
【００５２】
なお、ＳＡ２では、さらに、表示画面制御部４は、タイマ３６の計時時刻を参照することにより、図８に示したような領域の表示を開始した時刻を領域表示時刻Ｐａとして記憶する。
【００５３】
次に、ＳＡ３で、映像生成部３４によって、タイマ３６の計時する現在の時刻と上記したＰａとの差が、予め表示画面制御部４に記憶された領域表示タイマＶａを越えたか否かが判断される。なお、領域表示タイマＶａの計時時間は、たとえば「２秒」と設定される。そして、越えたと判断されると、ＳＡ４で、映像生成部３４によって、液晶モニタ２０における、図８に示されたような各タッチ領域およびその境界線の表示が解除される。これにより、液晶パネル２０には、通常の表示（初期ＣＨのチャンネルの番組表示等）がなされる。これにより、液晶パネル２０における各タッチ領域の表示が、電源投入の開始から、Ｖａとして規定される時間だけ、行なわれることになる。
【００５４】
次に、ＳＡ５で、電源制御部８によって、電源ボタン８０に対して電源をＯＦＦするための操作がなされたか否かが判断され、そのような操作がなされていないと判断されるとＳＡ６に処理が進められ、そのような操作がなされたと判断されるとＳＡ３４に処理が進められる。
【００５５】
ＳＡ６では、タブレット制御部６により、液晶モニタ２０に対してペン１０等による入力（押圧操作）があったか否かが判断される。そして、入力があったと判断されるとＳＡ７に処理が進められ、入力がないと判断されるとＳＡ５に処理が戻される。
【００５６】
ＳＡ７では、コマンド制御部７は、タブレット制御部６によって検出される、操作があったと判断された位置の座標（Ｘon，Ｙon）を読み込む。
【００５７】
そして、コマンド制御部７は、ＳＡ８で、ＳＡ７で読み込んだ座標が、液晶パネル２０における、線２０Ａ〜２０Ｄで示されたような境界線上の座標であるか否かを判断する。そして、境界線上の座標であると判断すると、ＳＡ２に処理を戻して、液晶パネル２０に各タッチ領域や境界線を表示させる。一方、境界線上の座標ではないと判断すると、ＳＡ９に処理を進める。
【００５８】
ＳＡ９では、コマンド制御部７は、ＳＡ７で読込まれた座標のＸ座標（Ｘon）が、Ｘｌ（表１参照）よりも値が小さいか、つまり、左側タッチ領域２４に対して操作がなされたか否かを判断し、そうであればＳＡ１０へ、そうでなければＳＡ１４へ、それぞれ処理を進める。
【００５９】
ＳＡ１０では、コマンド制御部７は、生成部３に対して、「PrevChannel」というコマンド（表２参照）を発行する。これに応じて、生成部３では、チューナ制御部３２が、ＳＡ１１において、設定ＣＨとスタートＣＨ（表５参照）を比較する。そして、設定ＣＨ＝スタートＣＨ（すなわち、現在、順序を１番目とされるチャンネルの番組を再生していた場合）には、ＳＡ１２において、設定ＣＨにエンドＣＨを設定し、設定ＣＨ＝スタートＣＨでない場合には、ＳＡ１３において、設定ＣＨを１つ前の順序のチャンネルに変更する。そして、チューナ制御部３２は、ＳＡ１９で、新たな設定ＣＨに対応した放送種別ＩＤとチューニング情報とを表６を参照することにより選択し、これらに基づいてチューナモジュール３１の放送種別とチューニングを制御してアンテナ９の受信するチャンネルを切換えた後、ＳＡ５に処理を戻し、携帯型テレビ１を、電源ボタン８０または液晶タブレット２への入力待ちの状態とする。
【００６０】
一方、ＳＡ１４では、コマンド制御部７は、ＳＡ７で読込まれた座標のＸ座標（Ｘon）が、Ｘｒ（表１参照）よりも値が小さいか否か、つまり、液晶モニタ２０の中央部分（中央タッチ領域２１、上側タッチ領域２２、および、下側タッチ領域２３）に対して操作がなされたか否かを判断し、そうであればＳＡ２０へ、そうでなければＳＡ１５へ、それぞれ処理を進める。
【００６１】
ＳＡ１５では、コマンド制御部７は、生成部３に対して、「NextChannel」というコマンド（表２参照）を発行する。これに応じて、生成部３では、チューナ制御部３２が、ＳＡ１６において、設定ＣＨとエンドＣＨ（表５参照）を比較する。そして、設定ＣＨ＝エンドＣＨ（すなわち、現在、順序が最後とされるチャンネルの番組を再生していた場合）には、ＳＡ１７において、設定ＣＨにスタートＣＨを設定し、設定ＣＨ＝エンドＣＨでない場合には、ＳＡ１８において、設定ＣＨを１つ後の順序のチャンネルに変更する。そして、ＳＡ１８の処理の後、ＳＡ１９に処理が進められる。
【００６２】
ＳＡ２０では、コマンド制御部７は、ＳＡ７で読込まれた座標のＹ座標（Ｙon）が、Ｙｕ（表１参照）よりも値が小さいか否か、つまり、上側タッチ領域２２をに対して操作がなされたか否かを判断し、そうであればＳＡ２１へ、そうでなければＳＡ２６へ、それぞれ処理を進める。
【００６３】
ＳＡ２１では、コマンド制御部７は、生成部３に対して、「VolumeUp」というコマンド（表２参照）を発行する。これに応じて、生成部３では、音声生成部３５が、ＳＡ２２において、設定音量と最大音量（表３参照）を比較する。そして、設定音量が最大音量と異なっている場合には、ＳＡ２３において設定音量のレベルを１段階上げた後ＳＡ２４に処理を進め、設定音量が最大音量と等しい場合にはそのままＳＡ２４に処理を進める。
【００６４】
ＳＡ２４では、音声生成部３５は、表示画面制御部４に対して、現在の設定音量の音量レベルに対応した音量マークの画像情報（図４の画像３５１〜３５５のいずれか）を選択し、当該画像情報を液晶モニタ２０におけるテレビ番組の表示に重ねて表示させるように指示を発行し、また、タイマ３６の計時する現在の時刻を音声マーク表示時刻Ｐｔ（表３参照）として記憶して、ＳＡ２５に処理を進める。これにより、液晶モニタ２０では、たとえば図９に示されるように、テレビ番組の表示に重ねられて画像３５２（音声マークの画像情報の一例）が表示される。
【００６５】
ＳＡ２５では、音声生成部３５は、再度タイマ３６の計時する現在時刻をチェックし、ＳＡ２４で記憶したＰｔとの差がＶｔ（表３参照）を越えたか否かを判断する。そして、越えたと判断すると、ＳＡ３３に処理を進める。
【００６６】
ＳＡ３３では、音声生成部３５は、ＳＡ２４（または後述するＳＡ３０）で液晶モニタ２０に表示させた音声マークの表示を解除させた後、ＳＡ５に処理を戻し、携帯型テレビ１を、電源ボタン８０または液晶タブレット２への入力待ちの状態とする。これにより、液晶モニタ２０には、音量表示タイマ（表２参照）で規定される時間だけ音声マークが表示された後、音声マークの表示がなくなり、その全面にテレビ番組の映像のみが表示されることになる。
【００６７】
ＳＡ２６では、コマンド制御部７は、ＳＡ７で読込まれた座標のＹ座標（Ｙon）が、Ｙｄ（表１参照）よりも値が大きいか否か、つまり、下側タッチ領域２３をに対して操作がなされたか否かを判断し、そうであればＳＡ２７へ、そうでなければＳＡ３２へ、それぞれ処理を進める。
【００６８】
ＳＡ２７では、コマンド制御部７は、生成部３に対して、「VolumeDown」というコマンド（表２参照）を発行する。これに応じて、生成部３では、音声生成部３５が、ＳＡ２８において、設定音量と最小音量（表３参照）を比較する。そして、設定音量が最小音量と異なっている場合には、ＳＡ２９において設定音量のレベルを１段階下げた後ＳＡ３０に処理を進め、設定音量が最小音量と等しい場合にはそのままＳＡ３０に処理を進める。
【００６９】
ＳＡ３０では、音声生成部３５は、表示画面制御部４に対して、現在の設定音量の音量レベルに対応した音量マークの画像情報（図４の画像３５１〜３５５のいずれか）を選択し、当該画像情報を液晶モニタ２０におけるテレビ番組の表示に重ねて表示させるように指示を発行し、また、タイマ３６の計時する現在の時刻を音声マーク表示時刻Ｐｔ（表３参照）として記憶して、ＳＡ３１に処理を進める。これにより、液晶モニタ２０では、たとえば図９に示されるように、テレビ番組の表示に重ねられて画像３５２（音声マークの画像情報の一例）が表示される。
【００７０】
ＳＡ３１では、音声生成部３５は、再度タイマ３６の計時する現在時刻をチェックし、ＳＡ３０で記憶したＰｔとの差がＶｔ（表３参照）を越えたか否かを判断する。そして、越えたと判断すると、ＳＡ３３に処理を進める。
【００７１】
ＳＡ３２では、上記したような、中央タッチ領域２１に対応する制御内容を実行するためのコマンドが発行され、ＳＡ５に処理が戻される。たとえば、中央タッチ領域２１に対応する制御内容として、液晶モニタ２０に対する操作のロック／アンロックを両者間で切換える制御が設定されている場合には、ＳＡ３２では、コマンド制御部７においてそのような切替えのためのコマンドの発行がなされる。
【００７２】
以上説明した本実施の形態の携帯型テレビ１では、液晶タブレット２の液晶モニタ２０において、図８に示されるように、中央タッチ領域２１、上側タッチ領域２２、下側タッチ領域２３、左側タッチ領域２４、および、右側タッチ領域２５の５つの領域が定義され、また、各領域には、それぞれ、「画面操作のロック／アンロックの切替え」「音量アップ」「音量ダウン」「チャンネルダウン」「チャンネルアップ」という機能が関連付けられている。そして、携帯型テレビ１では、テレビ番組の視聴中に各領域に対して操作がなされると、液晶モニタ２０における上記の領域および機能についての表示が行なわれることなく、操作された領域に関連付けられた機能が実行される。
【００７３】
また、上側タッチ領域２２、下側タッチ領域２３、左側タッチ領域２４、および、右側タッチ領域２５は、液晶モニタ２０の上下左右の端部をそれぞれ含む領域とされている。これにより、ユーザは、液晶モニタ２０に図８に示されたような各領域の表示がなされない場合でも各領域の位置を容易に認識できるとともに、各領域に対して容易に操作することができる。
【００７４】
［第２の実施の形態］
本実施の形態の携帯型情報端末として、マルチメディア情報を記憶可能であり、そして、記憶しているマルチメディア情報を再生可能である携帯型ビデオプレーヤについて説明する。なお、本実施の形態の携帯型ビデオプレーヤの構成は、特記する場合を除いて第１の実施の形態において説明した携帯型テレビ１と同じものとすることができるため、可能な範囲で、図２等を用いて説明した携帯型テレビ１の構成要素を利用して、本実施の形態の携帯型ビデオプレーヤについての説明を行なう。
【００７５】
なお、本実施の形態の携帯型ビデオプレーヤでは、制御用情報記憶部７０は、表１に示したような線２０Ａ〜２０Ｄの位置を特定する情報とともに、表７に示すような、映像記憶部３３に記憶された情報が再生されている際に、液晶パネル２０において操作がなされた領域に対応してコマンド制御部７が出力するコマンドが記憶されている。
【００７６】
【表７】
2006086837.tif 000009
【００７７】
表７から理解されるように、上側タッチ領域２２が操作されたときに出力されるコマンドは、スピーカ５から出力される音量を１段階上昇させるための「VolumeUp」であり、下側タッチ領域２３が操作されたときに出力されるコマンドは、スピーカ５から出力される音量を１段階下降させるための「VolumeDown」である。
【００７８】
また、本実施の形態の携帯型ビデオプレーヤにおいて映像記憶部３３に記憶された情報が再生されている際に、左側タッチ領域２４、右側タッチ領域２５、および、中央タッチ領域２１が操作されたときに出力されるコマンドは、表８に詳細に記載されている。
【００７９】
【表８】
2006086837.tif 000010
【００８０】
表８に示されるように、映像記憶部３３に記憶された情報が再生されている際に、左側タッチ領域２４、右側タッチ領域２５、および、中央タッチ領域２１が操作されたときに出力されるコマンドは、その時点での再生状態（現在のstate）に応じて異なる。なお、「現在のstate」という情報は、映像生成部３４および音声生成部３５に記憶され、また、後述するビデオ再生処理において逐次更新される情報である。
【００８１】
表８に記載の内容を説明する前に、表８に記載された文字列について説明する。
【００８２】
まず、現在のstateの欄に記載された、「forward10」「forward15」「forward20」「forward05」とは、それぞれ、映像生成部３４および音声生成部３５が、１．０倍速、１．５倍速、２．０倍速、０．５倍速の順送りで情報の再生を行なっている状態を意味する。また、「rewind10」「rewind15」「rewind20」「rewind05」は、それぞれ、映像生成部３４および音声生成部３５が、１．０倍速、１．５倍速、２．０倍速、０．５倍速の逆送りで情報の再生を行なっている状態を意味する。また、「stop」は、映像生成部３４が液晶モニタ２０に静止画を表示させている状態を意味する。なお、本実施の形態では、１．０倍速の順送りの再生を、標準の方向および速度の再生とする。また、１．０倍速の順送り再生以外の再生、つまり、静止画の再生、逆送り再生、および、１．０倍速以外の速度での順送り再生を、特殊再生とする。
【００８３】
コマンドの欄に記載された、「Forwarding10」「Forwarding15」「Forwarding20」「Forwarding05」は、それぞれ、映像生成部３４および音声生成部３５に、１．０倍速、１．５倍速、２．０倍速、０．５倍速の順送りで情報の再生を行なわせるためのコマンドである。また、「Rewinding10」「Rewinding15」「Rewinding20」「Rewinding05」は、それぞれ、映像生成部３４および音声生成部３５に、１．０倍速、１．５倍速、２．０倍速、０．５倍速の逆送りで情報の再生を行なわせるためのコマンドである。また、「PreviousPicture」は、映像生成部３４に、液晶モニタ２０にその時点で再生させているフレームの前の１フレーム分の映像信号のみを映像記憶部３３から取り出して静止画として再生させるためのコマンドである。また、「NextPicture」は、映像生成部３４に、液晶モニタ２０にその時点で再生させているフレームの次の１フレーム分の映像信号のみを映像記憶部３３から取り出して静止画として再生させるためのコマンドである。
【００８４】
そして、表８から理解されるように、情報の再生中に、左側タッチ領域２４が操作されると、順送りの再生が行なわれているときには、その速さに関係なく「Rewinding10」というコマンドが出力され、逆送りの再生が行なわれているときには、逆送り再生の速さが変更されるためのコマンドが出力され、静止画が表示されているときには、その静止画の１フレーム前のフレームの静止画を表示させるためのコマンドが出力される。
【００８５】
なお、逆送りの再生が行なわれているときに左側タッチ領域２４への操作に対応して出力されるコマンドは、具体的には、１．０倍速の逆送り再生中であれば１．５倍速で逆送りするためのコマンドであり、１．５倍速の逆送り再生中であれば２．０倍速で逆送りするためのコマンドであり、２．０倍速の逆送り再生中であれば０．５倍速で逆送りするためのコマンドであり、０．５倍速の逆送り再生中であれば１．０倍速で逆送りするためのコマンドである。つまり、左側タッチ領域２４への操作が行なわれるたびごとに、１．０倍速、１．５倍速、２．０倍速、０．５倍速の順に、逆送り再生の速度が循環するようにコマンドが出力されることになる。
【００８６】
つまり、左側タッチ領域２４に対する操作は、情報の再生を戻す方向の制御に関連した操作と言える。
【００８７】
また、表８から理解されるように、情報の再生中に、右側タッチ領域２５が操作されると、逆送りの再生が行なわれているときには、その速さに関係なく「Forwarding10」というコマンドが出力され、順送りの再生が行なわれているときには、順送り再生の速さが変更されるためのコマンドが出力され、静止画が表示されているときには、その静止画の１フレーム後のフレームの静止画を表示させるためのコマンドが出力される。
【００８８】
なお、順送りの再生が行なわれているときに右側タッチ領域２５への操作に対応して出力されるコマンドは、具体的には、１．０倍速の順送り再生中であれば１．５倍速で順送りするためのコマンドであり、１．５倍速の順送り再生中であれば２．０倍速で順送りするためのコマンドであり、２．０倍速の順送り再生中であれば０．５倍速で順送りするためのコマンドであり、０．５倍速の順送り再生中であれば１．０倍速で順送りするためのコマンドである。つまり、左側タッチ領域２４への操作が行なわれるたびごとに、１．０倍速、１．５倍速、２．０倍速、０．５倍速の順に、順送り再生の速度が循環するようにコマンドが出力されることになる。
【００８９】
つまり、右側タッチ領域２５に対する操作は、情報の再生を進める方向の制御に関連した操作と言える。
【００９０】
また、表８から理解されるように、情報の再生中に、中央タッチ領域２１が操作されると、１．０倍速で順送り再生が行なわれているときには、再生を停止して液晶モニタ２０に静止画を表示するためのコマンドが出力され、液晶モニタ２０に静止画が表示されているときおよび１．０倍速の順送り以外の速度で再生が行なわれているときには、１．０倍速の順送り再生を行なうためのコマンドが出力される。このことから、１．０倍速の順送り再生が行なわれているときには、中央タッチ領域２１が１回操作されることにより、また、それ以外の速度での順送り再生および逆送り再生が行なわれているときには、中央タッチ領域２１が２回操作されることにより、再生が停止され、液晶モニタ２０に静止画が表示されることになる。また、再生が停止されているときには、中央タッチ領域２１が１回操作されることにより、１．０倍速の順送り再生が開始されることになる。
【００９１】
つまり、中央タッチ領域２１に対する操作は、情報の再生に関し、再生／停止を切り替える制御に関連した操作と言える。
【００９２】
以上、表８を参照して説明したように、本実施の形態の携帯型ビデオプレーヤでは、左側タッチ領域２４、右側タッチ領域２５、および、中央タッチ領域２１が操作されたとき、情報を再生している状態に応じて、異なったコマンドが出力され、これに応じて、コマンドの出力によって制御が行なわれた後の再生の状態も異なったものとなる。表９に、左側タッチ領域２４、右側タッチ領域２５、および、中央タッチ領域２１が操作される前の再生の状態（「現在のstate」）と操作された後の状態（コマンド実行後の状態）をまとめて示す。
【００９３】
【表９】
2006086837.tif 000011
【００９４】
次に、本実施の形態の携帯型ビデオプレーヤにおいて、映像記憶部３３に記憶された情報が再生される際に実行される、ビデオ再生処理について、図１０〜図１４を参照しつつ説明する。図１０〜図１２は、ビデオ再生処理の際に携帯型ビデオプレーヤにおいて実行される処理のフローチャートであり、図１３は、液晶モニタ２０における表示態様を例示する図であり、図１４は、ビデオ再生処理におけるビデオコマンド実行処理のサブルーチンのフローチャートである。
【００９５】
携帯型ビデオプレーヤでは、電源ボタン８０が操作されると、まずＳＢ１で、電源制御部８が、携帯型ビデオプレーヤに電源を投入する処理を実行し、さらに、ＳＢ２で、映像生成部３４に対して、液晶モニタ２０に各タッチ領域を表示させるコマンドを出力する。これにより、液晶モニタ２０には、図１３に示すような、中央タッチ領域２１、上側タッチ領域２２、下側タッチ領域２３、左側タッチ領域２４、および、右側タッチ領域２５の５つの領域を定義するための線２０Ａ〜２０Ｄと、各領域に対する操作に対応した制御内容を表す文字列（「音量アップ」「再生／停止」等）とが表示されている。なお、ＳＢ２では、さらに、表示画面制御部４は、タイマ３６の計時時刻を参照することにより、図１３に示したような領域の表示を開始した時刻を領域表示時刻Ｐａとして記憶する。
【００９６】
次に、ＳＢ３で、映像生成部３４によって、タイマ３６の計時する現在の時刻と上記したＰａとの差が、予め表示画面制御部４に記憶された領域表示タイマＶａを越えたか否かが判断される。なお、領域表示タイマＶａの計時時間は、たとえば「２秒」と設定される。そして、越えたと判断されると、ＳＢ４で、映像生成部３４によって、液晶モニタ２０における、図１３に示されたような境界線および文字列の表示が解除される。これにより、液晶パネル２０には、その全面に、予め定められた初期画面または再生中の画面が表示される。これにより、液晶パネル２０における各タッチ領域の表示が、電源投入の開始から、Ｖｔとして規定される時間だけ、行なわれることになる。
【００９７】
次に、ＳＢ５で、電源制御部８によって、電源ボタン８０に対して電源をＯＦＦするための操作がなされたか否かが判断され、そのような操作がなされていないと判断されるとＳＢ６に処理が進められ、そのような操作がなされたと判断されるとＳＢ３０に処理が進められる。
【００９８】
ＳＢ６では、タブレット制御部６により、液晶モニタ２０に対してペン１０等による入力（押圧操作）があったか否かが判断される。そして、入力があったと判断されるとＳＢ７に処理が進められ、入力がないと判断されるとＳＢ５に処理が戻される。
【００９９】
ＳＢ７では、コマンド制御部７は、タブレット制御部６によって検出される、操作があったと判断された位置の座標（Ｘon，Ｙon）を読み込む。
【０１００】
そして、コマンド制御部７は、ＳＢ８で、ＳＢ７で読み込んだ座標が、液晶パネル２０における、線２０Ａ〜２０Ｄで示されたような境界線上の座標であるか否かを判断する。そして、境界線上の座標であると判断すると、ＳＢ２に処理を戻して、液晶パネル２０に各タッチ領域や境界線を表示させる。一方、境界線上の座標ではないと判断すると、ＳＢ９に処理を進める。
【０１０１】
ＳＢ９では、コマンド制御部７は、ＳＢ７で読込まれた座標のＸ座標（Ｘon）が、Ｘｌ（表１参照）よりも値が小さいか、つまり、左側タッチ領域２４に対して操作がなされたか否かを判断し、そうであればＳＢ１０へ、そうでなければＳＢ１２へ、それぞれ処理を進める。
【０１０２】
ＳＢ１０では、コマンド制御部７は、生成部３に対して、現在のstateに応じたコマンド（表８の「左側タッチ領域」の欄参照）を発行する。これに応じて、生成部３では、ＳＢ１１で、映像生成部３４および音声生成部３５が、表９を参照し、その時点で記憶している「現在のstate」と出力されたコマンドとに基づいて、「現在のstate」を更新し、ＳＢ１５に処理を進める。
【０１０３】
ＳＢ１２では、コマンド制御部７は、ＳＢ７で読込まれた座標のＸ座標（Ｘon）が、Ｘｒ（表１参照）よりも値が小さいか否か、つまり、液晶モニタ２０の中央部分（中央タッチ領域２１、上側タッチ領域２２、および、下側タッチ領域２３）に対して操作がなされたか否かを判断し、そうであればＳＢ１６へ、そうでなければＳＢ１３へ、それぞれ処理を進める。
【０１０４】
ＳＢ１３では、コマンド制御部７は、生成部３に対して、現在のstateに応じたコマンド（表８の「右側タッチ領域」の欄参照）を発行する。これに応じて、生成部３では、ＳＢ１４で、映像生成部３４および音声生成部３５が、表９を参照し、その時点で記憶している「現在のstate」と出力されたコマンドとに基づいて、「現在のstate」を更新し、ＳＢ１５に処理を進める。
【０１０５】
ＳＢ１６では、コマンド制御部７は、ＳＢ７で読込まれた座標のＹ座標（Ｙon）が、Ｙｕ（表１参照）よりも値が小さいか否か、つまり、上側タッチ領域２２をに対して操作がなされたか否かを判断し、そうであればＳＢ１７へ、そうでなければＳＢ２２へ、それぞれ処理を進める。
【０１０６】
ＳＢ１７では、コマンド制御部７は、生成部３に対して、「VolumeUp」というコマンド（表２参照）を発行する。これに応じて、生成部３では、音声生成部３５が、ＳＢ１８において、設定音量と最大音量（表３参照）を比較する。そして、設定音量が最大音量と異なっている場合には、ＳＢ１９において設定音量のレベルを１段階上げた後ＳＢ２０に処理を進め、設定音量が最大音量と等しい場合にはそのままＳＢ２０に処理を進める。
【０１０７】
ＳＢ２０では、音声生成部３５は、表示画面制御部４に対して、現在の設定音量の音量レベルに対応した音量マークの画像情報（図４の画像３５１〜３５５のいずれか）を選択し、当該画像情報を液晶モニタ２０におけるビデオ再生の表示に重ねて表示させるように指示を発行し、また、タイマ３６の計時する現在の時刻を音声マーク表示時刻Ｐｔ（表３参照）として記憶して、ＳＢ２１に処理を進める。これにより、液晶モニタ２０では、映像記憶部３３に記憶された映像の表示に重ねられて（図９参照）表示される。
【０１０８】
ＳＢ２１では、音声生成部３５は、再度タイマ３６の計時する現在時刻をチェックし、ＳＢ２０で記憶したＰｔとの差がＶｔ（表３参照）を越えたか否かを判断する。そして、越えたと判断すると、ＳＢ３０に処理を進める。
【０１０９】
ＳＢ３０では、音声生成部３５は、ＳＢ２０（または後述するＳＢ２６）で液晶モニタ２０に表示させた音声マークの表示を解除させた後、ＳＢ５に処理を戻し、携帯型ビデオプレーヤを、電源ボタン８０または液晶タブレット２への入力待ちの状態とする。
【０１１０】
ＳＢ２２では、コマンド制御部７は、ＳＢ７で読込まれた座標のＹ座標（Ｙon）が、Ｙｄ（表１参照）よりも値が大きいか否か、つまり、下側タッチ領域２３をに対して操作がなされたか否かを判断し、そうであればＳＢ２３へ、そうでなければＳＢ２８へ、それぞれ処理を進める。
【０１１１】
ＳＢ２３では、コマンド制御部７は、生成部３に対して、「VolumeDown」というコマンド（表２参照）を発行する。これに応じて、生成部３では、音声生成部３５が、ＳＢ２４において、設定音量と最小音量（表３参照）を比較する。そして、設定音量が最小音量と異なっている場合には、ＳＢ２５において設定音量のレベルを１段階下げた後ＳＢ２６に処理を進め、設定音量が最小音量と等しい場合にはそのままＳＢ２６に処理を進める。
【０１１２】
ＳＢ２６では、音声生成部３５は、表示画面制御部４に対して、現在の設定音量の音量レベルに対応した音量マークを選択し、当該画像情報を液晶モニタ２０におけるビデオ再生の表示に重ねて表示させるように指示を発行し、また、タイマ３６の計時する現在の時刻を音声マーク表示時刻Ｐｔ（表３参照）として記憶して、ＳＢ２７に処理を進める。
【０１１３】
ＳＢ２７では、音声生成部３５は、再度タイマ３６の計時する現在時刻をチェックし、ＳＢ２６で記憶したＰｔとの差がＶｔ（表３参照）を越えたか否かを判断する。そして、越えたと判断すると、ＳＢ３０に処理を進める。
【０１１４】
ＳＢ２８では、コマンド制御部７は、生成部３に対して、現在のstateに応じたコマンド（表８の「中央タッチ領域」の欄参照）を発行する。これに応じて、生成部３では、ＳＢ２９で、映像生成部３４および音声生成部３５が、表９を参照し、その時点で記憶している「現在のstate」と出力されたコマンドとに基づいて、「現在のstate」を更新し、ＳＢ１５に処理を進める。
【０１１５】
ＳＢ１５では、映像生成部３４および音声生成部３５によってビデオコマンド実行処理が実行された後、ＳＢ５に処理が戻される。
【０１１６】
次に、主に図１４を参照して、ビデオコマンド実行処理の内容を説明する。
【０１１７】
ビデオコマンド実行処理では、映像生成部３４および音声生成部３５は、まずＳＣ１で、コマンド制御部７から出力されたコマンドに基づいて、次に実行する処理を選択する。
【０１１８】
出力されたコマンドが「Forwarding10」であれば、ＳＣ２で、映像生成部３４および音声生成部３５は、再生モードを１．０倍速順送りとする。これにより、映像生成部３４は、１．０倍の速度で映像記憶部３３から映像信号を取り出して、映像表示データを生成し、表示画面制御部４に出力する。また、音声生成部３５は、１．０倍の速度で映像記憶部３３から音声信号を取り出して、音声データを生成し、スピーカ５に出力する。
【０１１９】
出力されたコマンドが「Forwarding15」であれば、ＳＣ３で、映像生成部３４および音声生成部３５は、再生モードを１．５倍速順送りとする。これにより、映像生成部３４は、１．５倍の速度で映像記憶部３３から映像信号を取り出して、映像表示データを生成し、表示画面制御部４に出力する。また、音声生成部３５は、１．５倍の速度で映像記憶部３３から音声信号を取り出して、音声データを生成し、スピーカ５に出力する。
【０１２０】
出力されたコマンドが「Forwarding20」であれば、ＳＣ４で、映像生成部３４および音声生成部３５は、再生モードを２．０倍速順送りとする。これにより、映像生成部３４は、２．０倍の速度で映像記憶部３３から映像信号を取り出して、映像表示データを生成し、表示画面制御部４に出力する。また、音声生成部３５は、２．０倍の速度で映像記憶部３３から音声信号を取り出して、音声データを生成し、スピーカ５に出力する。
【０１２１】
出力されたコマンドが「Forwarding05」であれば、ＳＣ５で、映像生成部３４および音声生成部３５は、再生モードを０．５倍速順送りとする。これにより、映像生成部３４は、０．５倍の速度で映像記憶部３３から映像信号を取り出して、映像表示データを生成し、表示画面制御部４に出力する。また、音声生成部３５は、０．５倍の速度で映像記憶部３３から音声信号を取り出して、音声データを生成し、スピーカ５に出力する。
【０１２２】
出力されたコマンドが「Rewinding10」であれば、ＳＣ６で、映像生成部３４および音声生成部３５は、再生モードを１．０倍速逆送りとする。これにより、映像生成部３４は、１．０倍の速度で映像記憶部３３から逆戻りする形で映像信号を取り出して、映像表示データを生成し、表示画面制御部４に出力する。また、音声生成部３５は、１．０倍の速度で映像記憶部３３から逆戻りする形で音声信号を取り出して、音声データを生成し、スピーカ５に出力する。
【０１２３】
出力されたコマンドが「Rewinding15」であれば、ＳＣ７で、映像生成部３４および音声生成部３５は、再生モードを１．５倍速逆送りとする。これにより、映像生成部３４は、１．５倍の速度で映像記憶部３３から逆戻りする形で映像信号を取り出して、映像表示データを生成し、表示画面制御部４に出力する。また、音声生成部３５は、１．５倍の速度で映像記憶部３３から逆戻りする形で音声信号を取り出して、音声データを生成し、スピーカ５に出力する。
【０１２４】
出力されたコマンドが「Rewinding20」であれば、ＳＣ８で、映像生成部３４および音声生成部３５は、再生モードを２．０倍速逆送りとする。これにより、映像生成部３４は、２．０倍の速度で映像記憶部３３から逆戻りする形で映像信号を取り出して、映像表示データを生成し、表示画面制御部４に出力する。また、音声生成部３５は、２．０倍の速度で映像記憶部３３から逆戻りする形で音声信号を取り出して、音声データを生成し、スピーカ５に出力する。
【０１２５】
出力されたコマンドが「Rewinding05」であれば、ＳＣ９で、映像生成部３４および音声生成部３５は、再生モードを０．５倍速逆送りとする。これにより、映像生成部３４は、０．５倍の速度で映像記憶部３３から逆戻りする形で映像信号を取り出して、映像表示データを生成し、表示画面制御部４に出力する。また、音声生成部３５は、０．５倍の速度で映像記憶部３３から逆戻りする形で音声信号を取り出して、音声データを生成し、スピーカ５に出力する。
【０１２６】
出力されたコマンドが「Stopping」であれば、ＳＣ１０で、映像生成部３４および音声生成部３５は、再生モードを停止とする。これにより、液晶モニタ２０には静止画が表示され、スピーカ５からの音声出力は停止される。
【０１２７】
出力されたコマンドが「NextPicture」であれば、ＳＣ１１で、映像生成部３４および音声生成部３５の再生モードを停止とし、かつ、映像生成部３４は、それまで表示していた映像信号の次の１フレーム分の映像信号のみを映像記憶部３３から取り出して、それを再生し、映像表示データとして表示画面制御部４に出力する。これにより、液晶モニタ２０には「次の１フレーム分」の静止画が表示され、スピーカ５からの音声出力は停止される。
【０１２８】
出力されたコマンドが「PreviousPicture」であれば、ＳＣ１２で、映像生成部３４および音声生成部３５の再生モードを停止とし、かつ、映像生成部３４は、それまで表示していた映像信号の前の１フレーム分の映像信号のみを映像記憶部３３から取り出して、それを再生し、映像表示データとして表示画面制御部４に出力する。これにより、液晶モニタ２０には「前の１フレーム分」の静止画が表示され、スピーカ５からの音声出力は停止される。
【０１２９】
以上説明した各実施の形態では、携帯型テレビ１および携帯型ビデオレコーダが、液晶タブレット２の液晶モニタ２０に対して複数の領域を定義され、それぞれの領域に対して操作されることにより異なる制御動作を実行できるように構成されていた。
【０１３０】
なお、図８および図１３に示されるような、定義された領域を特定する表示は、電源の投入が開示されるときまたは領域の境界線上に操作がなされたときにのみ一定時間だけ行なわれ、通常のテレビ番組の視聴や映像記憶部３３に記憶された映像の再生の際には行なわれない。
【０１３１】
また、図８および図１３に示されるような画面の一定時間の表示が開始されるタイミングは、電源の投入開始時の代わりに、電源の投入が開始されてから初めて液晶パネル２０に対してペン１０等によって操作がなされたときとされても良いし、携帯型ビデオレコーダにおいて映像の再生が開始されたときとされても良いし、また、携帯型テレビ１が所定のソフトウェアを起動されることによりテレビ番組の視聴が可能に構成されている場合には当該ソフトウェアが起動されたときとされても良いし、液晶タブレット２の電源のオン／オフが携帯型テレビ１または携帯型ビデオレコーダの全体的な電源のオン／オフと独立して切り替えられるように構成されている場合には液晶タブレット２の電源がオンされたときとされても良い。
【０１３２】
また、第２の実施の形態では、携帯型ビデオレコーダは、内蔵する記録媒体（映像記憶部３３）に記憶された映像を再生するものとされたが、本発明に従った携帯情報端末はこのような構成に限定されず、当該携帯情報端末に対して着脱可能に構成されたＤＶＤ（Digital Versatile Disk）等の記録媒体に記録された映像を再生するような携帯情報端末に対しても本発明は適用可能である。
【０１３３】
また、各実施の形態では、液晶モニタ２０に対して上下左右および中央の５つの領域が定義され、上下の領域には、音量のアップ／ダウンという制御内容が、左右の領域には、チャンネルのダウン／アップまたはビデオ再生について戻る／送るという制御内容が、関連付けられていた。
【０１３４】
このことから、携帯型テレビ１および携帯型ビデオレコーダでは、上下の領域の間で、または、左右の領域の間で、つまり、所定の方向について一方側と他方側に位置する領域の間で、相対する制御内容が関連付けられていることになる。これにより、ユーザは、相反する２つの制御内容に対応した操作位置を、直感的に理解できるようになる。
【０１３５】
また、上下の領域に割り当てられた音量のアップ／ダウンという制御内容に関しては、音量が最大音量とされている状態では、それ以上、上の領域（上側タッチ領域２２）を操作されても音量が変化せず、また、音量が最小音量とされている状態では、それ以上下の領域（下側タッチ領域２３）を操作されても音量が変化しない。
【０１３６】
一方、左右の領域に割り当てられた、チャンネルのダウン／アップ、または、ビデオ再生についての戻る／送るという制御内容に関しては、操作回数に応じて、受信されるチャンネルが循環したり、順送りまたは逆送りの再生速度が循環したりする。
【０１３７】
つまり、各実施の形態では、上下の領域には、当該領域に対する操作に応じた制御内容の変化に限度のあるような制御内容が対応し、左右の領域には、当該領域に対する操作回数に応じて制御内容が循環して変化するような制御内容が対応していると言える。
【０１３８】
また、各実施の形態では、上下の領域に割り当てられた制御内容は、左右の領域に割り当てられても良いし、逆に、左右の領域に割り当てられた制御内容は、上下の領域に割り当てられても良い。なお、制御内容に対する領域の割り当ては、表２や表７〜表９に示した領域と出力されるコマンドとの関係を変更することにより、容易に変更することができる。
【０１３９】
また、各実施の形態では、各領域に割り当てられる制御内容は、それぞれ、或る項目（音量や再生速度）について一種類の変化を及ぼす制御内容であったが、本発明において液晶モニタ２０上に割り当てられる制御内容はこのようなものに限定されない。たとえば、携帯型テレビ１は、図１５に示すように、上側タッチ領域２２がさらに複数の領域（領域２２１，２２２）に分割され、また、下側タッチ領域２３がさらに複数の領域（領域２３１，２３２）に分割され、液晶モニタ２０の端部（上端または下端）に近い位置を操作されなるほど、つまり、液晶モニタ２０の中央からの距離が長くなる位置を操作されるほど、或る項目についての変化の割合を大きくなるようなコマンドが作成されるように構成されても良い。具体的には、図１５に示された変形例によると、携帯型テレビ１は、領域２２２を操作されることにより音量レベルが２段階上げられるが、領域２２２よりも液晶モニタ２０の上端から離れた位置にある領域２２１を操作されることにより音量レベルが１段階上げられるよう構成されている。また、図１５に示された変形例によると、携帯型テレビ１は、領域２３２を操作されることにより音量レベルが２段階下げられるが、領域２３２よりも液晶モニタ２０の下端から離れた位置にある領域２３１を操作されることにより音量レベルが１段階下げられるよう構成されている。
【０１４０】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独でも実施可能であるし、可能な限り組合わされて実施することも可能である。
【図面の簡単な説明】
【０１４１】
【図１】本発明の携帯型情報端末の第１の実施の形態である携帯型テレビの概観図である。
【図２】図１の携帯型テレビの制御ブロック図である。
【図３】図１の携帯型テレビの液晶モニタに対するタッチ領域の定義を説明するための図である。
【図４】図１の携帯型テレビにおいて表示される音声マークを示す図である。
【図５】図１の携帯型テレビにおいてテレビ番組出力処理の際に実行される処理のフローチャートである。
【図６】図１の携帯型テレビにおいてテレビ番組出力処理の際に実行される処理のフローチャートである。
【図７】図１の携帯型テレビにおいてテレビ番組出力処理の際に実行される処理のフローチャートである。
【図８】図１の液晶モニタにおける表示態様の一例を示す図である。
【図９】図１の液晶モニタにおける表示態様の他の一例を示す図である。
【図１０】本発明の携帯型情報端末の第２の実施の形態である携帯型ビデオプレーヤにおいて実行されるビデオ再生処理のフローチャートである。
【図１１】本発明の携帯型情報端末の第２の実施の形態である携帯型ビデオプレーヤにおいて実行されるビデオ再生処理のフローチャートである。
【図１２】本発明の携帯型情報端末の第２の実施の形態である携帯型ビデオプレーヤにおいて実行されるビデオ再生処理のフローチャートである。
【図１３】本発明の携帯型情報端末の第２の実施の形態である携帯型ビデオプレーヤの液晶モニタにおける表示態様の一例を示す図である。
【図１４】図１０〜図１２のビデオ再生処理の、ビデオコマンド実行処理のサブルーチンのフローチャートである。
【図１５】図１の携帯型テレビの変形例において、液晶パネル上に割り当てられた制御内容を説明するための図である。
【符号の説明】
【０１４２】
１  携帯型テレビ、２  液晶タブレット、３  生成部、４  表示画面制御部、５  スピーカ、６  タブレット制御部、７  コマンド制御部、８  電源制御部、９  アンテナ、１０  ペン、２０  液晶モニタ、２１  中央タッチ領域、２２  上側タッチ領域、２３  下側タッチ領域、２４  左側タッチ領域、２５  右側タッチ領域、３１  チューナモジュール、３２  チューナ制御部、３３  映像記憶部、３４  映像生成部、３５  音声生成部、３６  タイマ、７０  制御用情報記憶部、８０  電源ボタン、１００  電源。
【図１】
2006086837.tif 000012
【図２】
2006086837.tif 000013
【図３】
2006086837.tif 000014
【図４】
2006086837.tif 000015
【図５】
2006086837.tif 000016
【図６】
2006086837.tif 000017
【図７】
2006086837.tif 000018
【図８】
2006086837.tif 000019
【図９】
2006086837.tif 000020
【図１０】
2006086837.tif 000021
【図１１】
2006086837.tif 000022
【図１２】
2006086837.tif 000023
【図１３】
2006086837.tif 000024
【図１４】
2006086837.tif 000025
【図１５】
2006086837.tif 000026